(57)【要約】【課題】読み取り画像を再現性良くプリントし得る画像処理装置を提供する。【解決手段】テストチャートから読み取ったＥＥＰＲＯＭ１０に記憶した１５点のデータを読み出し（ステップＳＴ１）、第１のγ補正テーブルを作成し、ＲＡＭ４の第１のγ補正テーブルメモリ４ａに記憶する（ステップＳＴ１２）。続いて、デフォルトの読取モードに応じた第２のγ補正テーブルをＲＯＭ３の第２のγ補正テーブルメモリ３ａより読み出し、ＲＡＭ４に格納する（ステップＳＴ１３）。次に、第１のγ補正テーブルと第２のγテーブルから合成のγ補正テーブルを作成し（ステップＳＴ１４）、このγ補正テーブルを画像処理回路９のＲＡＭ（ガンマ補正テーブルメモリ）９ａに書き込む（ステップＳＴ１５）。このγ補正テーブルをガンマ補正用に使用する。【選択図】　　　図４
2004040357.tif 000002
【特許請求の範囲】
【請求項１】
画像読取手段と、この画像読取手段で読み取られたテストチャートのデータを記憶する第１の記憶手段と、この第１の記憶手段に格納されたデータに基づき第１のガンマ補正情報を生成する第１のガンマ補正情報生成手段と、用紙上に画像記録する記録手段と、この記録手段における第２のガンマ補正情報を記憶する第２の記憶手段と、前記第１のガンマ補正情報と、第２の記憶手段から読み出された第２のガンマ補正情報とに基づき、最終的なガンマ補正情報を生成する第２のガンマ補正情報生成手段とを備え、生成された最終的なガンマ補正情報を前記画像読取手段に設定することを特徴とする画像処理装置。
【請求項２】
画像読取手段と、画像読取手段で読み取られたテストチャートのデータを記憶する第１の記憶手段と、この第１の記憶手段に格納されたデータに基づき第１のガンマ補正情報を生成する第１のガンマ補正情報生成手段と、読み取りモードのそれぞれに対応した第２のガンマ補正情報を記憶する第２の記憶手段と、第１のガンマ補正情報と、読み取りモードに応じて第２の記憶手段から読み出された第２のガンマ補正情報とに基づき、最終的なガンマ補正情報を生成する第２のガンマ補正情報生成手段とを備え、生成された最終的なガンマ補正情報を画像読取手段に設定することを特徴とする画像処理装置。
【請求項３】
前記第１のガンマ補正情報、第２のガンマ補正情報はテーブルであることを特徴とする請求項１又は請求項２記載の画像処理装置。
【発明の詳細な説明】
【０００１】
【発明の属する技術分野】
この発明は、ガンマ補正機能を有する画像処理装置に関する。
【０００２】
【従来の技術】
ファクシミリ装置などの画像処理装置では、原稿を画像読取手段で読み取り、ファックス送信したり、コピーする。この場合、スキャナ等の画像読取手段の特性がリニアでないと、色、濃度を精度良く再現できないので、従来は段階的に濃度の異なるテストチャートを読み込み、実際の値と本来の値との差に基づき、ガンマ補正テーブルを作成し、これを用いて補正する技術が知られている（特開平６−２２１４０号）。
【０００３】
【発明が解決しようとする課題】
スキャナ単体の特性補正であれば、上記した従来の段階的な濃度の異なるテストチャートを読み込み、実際の値と本来の値との差に基づき、ガンマ補正データを作成する方法で良いが、デジタルコピー機や、コピー機能を有するファクシミリ装置、複合機では自機のプリンタで読み取った画像をプリントする。このため、単にスキャナの特性のみでガンマ補正は決まるのではなく、プリンタの特性も加味しなければ、読み取った画像を再現性良くプリントすることはできない。また、読取モード（文字、文字／写真、写真あるいは読み取り時の濃度）によっても、ガンマ補正は変える必要がある。
【０００４】
この発明は上記問題点に着目してなされたものであって、読み取った画像を再現性良く、プリントし得る画像処理装置を提供することを目的としている。
【０００５】
【課題を解決するための手段】
この発明の画像処理装置は、画像読取手段と、この画像読取手段で読み取られたテストチャートのデータを記憶する第１の記憶手段と、この第１の記憶手段に格納されたデータに基づき第１のガンマ補正情報を生成する第１のガンマ補正情報生成手段と、用紙上に画像記録する記録手段と、この記録手段における第２のガンマ補正情報を記憶する第２の記憶手段と、前記第１のガンマ補正情報と、第２の記憶手段から読み出された第２のガンマ補正情報とに基づき、最終的なガンマ補正情報を生成する第２のガンマ補正情報生成手段とを備え、生成された最終的なガンマ補正情報を前記画像読取手段に設定する。
【０００６】
また、この発明の画像処理装置は、画像読取手段と、画像読取手段で読み取られたテストチャートのデータを記憶する第１の記憶手段と、この第１の記憶手段に格納されたデータに基づき第１のガンマ補正情報を生成する第１のガンマ補正情報生成手段と、読み取りモードのそれぞれに対応した第２のガンマ補正情報を記憶する第２の記憶手段と、第１のガンマ補正情報と、読み取りモードに応じて第２の記憶手段から読み出された第２のガンマ補正情報とに基づき、最終的なガンマ補正情報を生成する第２のガンマ補正情報生成手段とを備え、生成された最終的なガンマ補正情報を画像読取手段に設定する。
【０００７】
また、この発明の画像処理装置において、第１のガンマ補正情報、第２のガンマ補正情報はテーブルであっても良いし、関数であっても良い。
【０００８】
【発明の実施の形態】
以下、実施の形態により、この発明をさらに詳細に説明する。図１は、この発明の画像処理装置の一実施形態であるファクシミリ装置の構成を示すブロック図である。
【０００９】
この実施形態ファクシミリ装置は、図１に示すように、ＮＣＵ１と、ＭＯＤＥＭ２と、ＲＯＭ３と、ＲＡＭ４と、画像メモリ５と、ＭＰＵ６と、ＣＣＤスキャナ７と、キーパッド８と、画像処理回路９と、ＥＥＰＲＯＭ１０と、ＣＯＤＥＣ１１と、プリンタ１２と、バス１３とを備えている。
【００１０】
ＮＣＵ１は、電話回線１４との接続を制御するとともに、相手先の電話番号（＝対応したダイヤル信号）の送出機能、及び着信を検出するための機能を備えている。ＭＯＤＥＭ２は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。ＲＯＭ３は装置全体を制御するためのプログラムを記憶する。ＲＯＭ３は第２のγ補正テーブルを記憶する第２のγ補正テーブルメモリ３ａを有する。
【００１１】
ＲＡＭ４は、ファクシミリ装置に関する各種情報を一時的に記憶する。ＲＡＭ４には、第１のγ補正テーブルを記憶する第１のγ補正テーブルメモリ４ａを有する。画像メモリ５は受信画像データやＣＣＤスキャナ７で読み取られた画像データを一時的に記憶する。ＭＰＵ６は、ＲＯＭ３に記憶されたプログラムに従い、装置を構成する各部を制御する。ＣＣＤスキャナ７は原稿をスキャンして、原稿画像を読み取る。キーパット８は、読取モード切替キー８ａ、読取濃度切替キー８ｂ、スタートキー８ｃの他、テンキー、ワンタッチキー等のキーを備えている。
【００１２】
画像処理回路９はＣＣＤスキャナ７で読み取った画像データを画像処理する。この画像処理回路９は、ガンマ補正テーブルを記憶するガンマ補正テーブルメモリ９ａを有する。ＥＥＰＲＯＭ１０は、テストチャートの１５点のデータを記憶している。ＣＯＤＥＣ１１は、送信すべき画データを符号化し、また受信した画データを復号する。プリンタ１２は、電子写真方式のプリンタよりなり、受信画像データやコピー動作において、ＣＣＤスキャナ７で読み取られた原稿の画像データを記録紙上に記録する。もっとも、ここに示す実施形態ファクシミリ装置のハード構成は、特に新規なものではなく、各回路構成自体は、既によく知られたものである。この実施形態ファクシミリ装置の新規な特徴事項は、後述するように、ガンマ補正テーブルデータの作成方法にある。
【００１３】
この実施形態装置では、図２に示すように、１５段階のテストチャートを読み取り、１５点のデータとしてＥＥＰＲＯＭ１０に記憶する。この１５点のデータを基に、第１のγ補正テーブル（又は関数）を作成する。ここまでのγ補正テーブル作成は通常のものと同様である。図５に示すように、テストチャート濃度／出力特性が、理想的な特性▲３▼と、ＣＣＤスキャナの読み取り特性▲１▼とすると、▲３▼理想的特性から▲１▼ＣＣＤ特性を減じた▲２▼特性〔＝ｈ（ｘ）〕が第１のγ補正テーブルである。他方、ＲＯＭ３に記憶してある読取モード毎の第２のγ補正テーブル１〜ｍのテーブルより、読み取るべき画像が文字、文字／写真、写真あるいは読み取り時の濃度等によって異なる読取モードに対応した第２の補正テーブルｉをＲＡＭ５に記憶する。
【００１４】
この第２のγ補正テーブルは、例えば図７に示す特性〔＝ｇ｛ｆ（ｘ）｝である。この第２のγ補正テーブルは「濃度補正テーブル」と「プリンタ補正テーブル」とから求めた特性である。濃度補正テーブルは、例えば図８に示すように、▲１▼理想的な入力特性に対し、▲３▼写真モード、普通濃度の特性とすると、特性▲３▼−▲１▼の特性である〔＝ｆ（ｘ）〕。この濃度補正テーブルは、上記したようにモードの組み合わせの数（ｍ個）を備えている。プリンタ補正テーブルは、この「プリンタ補正テーブル」で補正してからプリンタに入力することにより、プリンタを理想的な印字特性を持ったプリンタとして使用することができる。図９に示すように、▲３▼理想的な印字特性と、▲２▼プリンタの印字特性とすると、特性▲３▼−▲２▼が▲１▼プリンタ補正テーブル〔＝ｇ（ｘ）〕である。
【００１５】
そして、第１のγ補正テーブルと第２のγ補正テーブルを合成して、最終的なγ補正テーブルを作成する。この最終的なγ補正テーブルは、例えば図６に示す特性〔＝ｇ（ｆ｛ｈ（ｘ）｝）〕となる。この最終的なγ補正テーブルを画像処理回路９のＲＡＭ（ガンマ補正テーブルメモリ９ａ）に書き込み、実施形態装置のγ補正テーブルとして使用する。
【００１６】
次に、この実施形態ファクシミリ装置におけるガンマ補正テーブルの設定処理を図３、図４に示すフロー図を参照して説明する。先ず、テストチャートの読取処理について説明する。ステップＳＴ１においては、テストチャートをＦＢＳ（フラットベットスキャナ）に置く。これは使用者が行う。次にステップＳＴ２へ移行する。ステップＳＴ２においては、テストチャート読取モードを選択する。このテストチャート読取モードの選択は、使用者がキーパッド８の読取モード切替キー８ａを操作することにより、行うことができる。続いて、ステップＳＴ３へ移行する。
【００１７】
ステップＳＴ３においては、キーパッド８のスタートキー８ｃが押下されたか否か判定する。スタートキー８ｃが押下されると、ステップＳＴ４へ移行する。ステップＳＴ４においては、テストチャートをＣＣＤスキャナ７でスキャンし、１５点のデータを読み取る。続いて、ステップＳＴ５へ移行する。ステップＳＴ５においては、読み取ったテストチャートの各濃度の値をＥＥＲＲＯＭ１０に格納する。次に、ステップＳＴ６へ移行する。
【００１８】
ステップＳＴ６においては、スキャンが終了したか否かを判定する。終了でない場合は、ステップＳＴ４へ戻り、スキャンを続ける。一方、スキャンが終了の場合は、ステップＳＴ７へ移行する。ステップＳＴ７においては、キーパッド８９の表示部に「テストチャートの読み取り終了しました」の表示を行い、処理を終了する。
【００１９】
続いて、最終的なγ補正テーブル作成処理について説明する。ステップＳＴ１１においては、ＥＥＰＲＯＭ１０よりデータを読み出す。次に、ステップＳＴ１２へ移行する。ステップＳＴ１２においては、読み出したデータに基づき、第１のγ補正テーブル（又は関数）４ａを作成し〔具体例：図５の▲２▼参照〕、ＲＡＭ４に記憶する。続いて、ステップＳＴ１３へ移行する。
【００２０】
ステップＳＴ１３においては、デフォルトの読み取りモードに応じた第２のγ補正テーブル〔具体例：図７参照〕をＲＯＭ３より読み出し、ＲＡＭ４に格納する。次に、ステップＳＴ１４へ移行する。ステップＳＴ１４においては、第１のγ補正テーブルと第２のγ補正テーブルとからガンマ補正テーブルを作成する〔具体例：図６参照〕。続いて、ステップＳＴ１５へ移行する。ステップＳＴ１５においては、ガンマ補正テーブルを画像処理回路９のＲＡＭ（ガンマ補正テーブルメモリ）９ａに書き込む。次に、ステップＳＴ１６へ移行する。
【００２１】
ステップＳＴ１６においては、読み取りモードの変更有りか否かを判定する。読み取りモードの変更が有る場合には、ステップＳＴ１７へ移行する。ステップＳＴ１７においては、変更された読み取りモードに対する第２のガンマ補正テーブルをＲＯＭ３より読み出し、ＲＡＭ４に記憶する。そして、ステップＳＴ１４へ戻る。
【００２２】
なお、上記実施形態では、ガンマ補正情報をテーブルで格納しているが、関数（線形補間式）を用いても良い。
【００２３】
【発明の効果】
この発明によれば、テストチャートの読み取りデータに基づいて生成する第１のガンマ補正情報と、記録手段によるあるいは読み取りモードにおける第２のガンマ補正情報とに基づき、最終的に生成したガンマ補正情報を画像読取手段に設定するものであるから、予めテストチャートをスキャンしておくことにより、単にスキャナの特性のみでなく、プリンタの特性や読み取りモードのそれぞれに応じたガンマ補正テーブルを生成し、読み取った画像を再現性良く、プリントすることができる。
【図面の簡単な説明】
【図１】この発明の一実施形態であるファクシミリ装置の構成を示すブロック図である。
【図２】同実施形態ファクシミリ装置のガンマ補正テーブルの設定処理を説明する図である。
【図３】同実施形態ファクシミリ装置のテストチャートの読み取り処理を説明するフロー図である。
【図４】同実施形態ファクシミリ装置の最終的にガンマ補正テーブルの作成処理を説明する図である。
【図５】同実施形態ファクシミリ装置における第１のγ補正テーブルの特性を説明する図である。
【図６】同実施形態ファクシミリ装置における最終的なγ補正テーブルの特性を説明する図である。
【図７】同実施形態ファクシミリ装置における第２のγ補正テーブルの特性を説明する図である。
【図８】濃度補正テーブルの特性を説明する図である。
【図９】プリンタ補正テーブルの特性を説明する図である。
【符号の説明】
１　　　　ＮＣＵ
２　　　　ＭＯＤＥＭ
３　　　　ＲＯＭ
３ａ　　　第２のγ補正テーブルメモリ
４　　　　ＲＡＭ
４ａ　　　第１のγ補正テーブルメモリ
５　　　　画像メモリ
６　　　　ＭＰＵ
７　　　　ＣＣＤ
８　　　　キーパット
８ａ　　　読取モード切替キー
８ｂ　　　読取濃度切替キー
８ｃ　　　スタートキー
９　　　　画像処理回路
９ａ　　　ガンマ補正テーブルメモリ
１０　　　ＥＥＰＲＯＭ
１１　　　ＣＯＤＥＣ
１２　　　プリンタ
１３　　　バス
１４　　　電話回線
【図１】
2004040357.tif 000003
【図２】
2004040357.tif 000004
【図３】
2004040357.tif 000005
【図４】
2004040357.tif 000006
【図５】
2004040357.tif 000007
【図６】
2004040357.tif 000008
【図７】
2004040357.tif 000009
【図８】
2004040357.tif 000010
【図９】
2004040357.tif 000011